(57)【要約】【課題】本発明は、機械式錠を操作した後に鍵保持パネルを露出させるための付加的な操作を不要とすることができ、利便性を向上できる鍵管理装置を提供することを目的とするものである。【解決手段】鍵管理装置は、鍵保持パネル２及び外カバー５の両方が鍵管理装置本体１と係合するように設けられ、機械式錠１０に対して所定の操作が行われた場合に、鍵管理装置本体１と鍵保持パネル２との間の係合とともに、鍵管理装置本体１と外カバー５との間の係合が解除されるように構成されている。【選択図】図１
2014231690.tif 000002
【特許請求の範囲】
【請求項１】
機械式錠を有する鍵管理装置本体と、
前記鍵管理装置本体と係合される鍵保持パネルと、
前記鍵保持パネルを覆うように配置されるとともに、前記鍵管理装置本体と係合される外カバーと
を備え、
前記機械式錠に対して所定の操作が行われた場合に、前記鍵管理装置本体と前記鍵保持パネルとの間の係合とともに、前記鍵管理装置本体と前記外カバーとの間の係合が解除される
ことを特徴とする鍵管理装置。
【請求項２】
前記鍵管理装置本体は、
前記外カバーと係合される外カバー係合部材と、
前記鍵保持パネルと係合される保持パネル係合部材と、
前記機械式錠及び前記保持パネル係合部材に接続され、前記機械式錠に対して所定の操作が行われた場合に、前記保持パネル係合部材を変位させて前記保持パネル係合部材と前記鍵保持パネルとの係合を解除する保持パネル係合解除機構と
を有しており、
前記保持パネル係合部材には、前記保持パネル係合部材の動作を前記外カバー係合部材に伝える伝動部が設けられており、
前記機械式錠の操作に応じて前記保持パネル係合解除機構により前記保持パネル係合部材が変位される際に、前記伝動部により前記保持パネル係合部材の変位が前記外カバー係合部材に伝えられて、前記保持パネル係合部材と前記鍵保持パネルとの間の係合とともに、前記外カバー係合部材と前記外カバーとの間の係合が解除される
ことを特徴とする請求項１記載の鍵管理装置。
【発明の詳細な説明】
【技術分野】
【０００１】
本発明は、鍵の利用を管理する鍵管理装置に関する。
【背景技術】
【０００２】
従来用いられていたこの種の鍵管理装置としては、例えば下記の特許文献１等に示されている構成を挙げることができる。すなわち、従来装置では、外カバーと鍵保持パネルとが鍵管理装置本体に取付けられている。外カバーは、鍵保持パネルを覆うためのカバーであり、鍵保持パネルと係合されるように設けられている。所定の操作が行われた際に鍵保持パネルと外カバーとの間の係合が解除されて鍵保持パネルが露出される。
【０００３】
鍵保持パネルは、鍵を保持する鍵ホルダがそれぞれ挿入される複数のホルダ挿入部が設けられたパネルである。各ホルダ挿入部に挿入された鍵ホルダは、ホルダ係合部材に係合されており、各ホルダ挿入部から自由に引き抜くことができないようにされている。すなわち、ホルダ係合部材が鍵ホルダに係合されることで鍵の利用（持ち出し）が制限されている。
【０００４】
ホルダ係合部材の係合は、電気制御されており、鍵管理装置本体で所定の操作が行われることで解除される。この電気制御によるホルダ係合部材の係合解除は、鍵管理装置本体に電源が投入されているときにのみ有効である。停電時に備えて、鍵保持パネルの背面には、手動でホルダ係合部材の係合を解除できる手動解除機構が設けられている。この手動解除機構を操作するためには、鍵管理装置本体に設けられた機械式錠を操作して、鍵管理装置本体と鍵保持パネルとの間の係合を解除する必要がある。
【先行技術文献】
【特許文献】
【０００５】
【特許文献１】特開平７−１８９２９号公報
【発明の概要】
【発明が解決しようとする課題】
【０００６】
上記のような従来の鍵管理装置では、外カバーが鍵保持パネルに係合されているので、上述のように機械式錠を操作して鍵保持パネルの係合を解除した後に、鍵保持パネルを露出させるために鍵保持パネルと外カバーとの間の係合を解除する必要があり、利用者の利便性が低下している。
【０００７】
本発明は、上記のような課題を解決するためになされたものであり、その目的は、機械式錠を操作した後に鍵保持パネルを露出させるための付加的な操作を不要とすることができ、利便性を向上できる鍵管理装置を提供することである。
【課題を解決するための手段】
【０００８】
本発明に係る鍵管理装置は、機械式錠を有する鍵管理装置本体と、鍵管理装置本体と係合される鍵保持パネルと、鍵保持パネルを覆うように配置されるとともに、鍵管理装置本体と係合される外カバーとを備え、機械式錠に対して所定の操作が行われた場合に、鍵管理装置本体と鍵保持パネルとの間の係合とともに、鍵管理装置本体と外カバーとの間の係合が解除される。
【発明の効果】
【０００９】
本発明の鍵管理装置によれば、鍵保持パネル及び外カバーの両方が鍵管理装置本体と係合するように設けられ、機械式錠に対して所定の操作が行われた場合に、鍵管理装置本体と鍵保持パネルとの間の係合とともに、鍵管理装置本体と外カバーとの間の係合が解除されるので、機械式錠を操作した後に鍵保持パネルを露出させるための付加的な操作を不要とすることができ、利便性を向上できる。
【図面の簡単な説明】
【００１０】
【図１】本発明の実施の形態１による鍵管理装置を示す斜視図である。
【図２】図１の鍵保持パネル、外カバー及び入力パネルが開かれた状態を示す斜視図である。
【図３】図１の線ＩＩＩ−ＩＩＩに沿う鍵管理装置の断面図である。
【図４】図３の外カバー係合部材と外カバー係合解除機構とを示す斜視図である。
【図５】図４の線Ｖ−Ｖに沿う断面図である。
【図６】図１の鍵保持パネルの背面側を示す斜視図である。
【図７】図６の保持パネル係合部材の下部を拡大して示す斜視図である。
【発明を実施するための形態】
【００１１】
以下、本発明を実施するための形態について、図面を参照して説明する。
実施の形態１．
図１は本発明の実施の形態１による鍵管理装置を示す斜視図であり、図２は図１の鍵保持パネル２、外カバー５及び入力パネル６が開かれた状態を示す斜視図である。図１に示すように、鍵管理装置には、鍵管理装置本体１、鍵保持パネル２、鍵ホルダ３、鍵交換部４、外カバー５、入力パネル６が設けられている。鍵管理装置本体１は、前面に開口を有する略箱状の部材であり、この鍵管理装置本体１には、図２に示すように鍵保持パネル２、外カバー５及び入力パネル６が開閉可能に取付けられている。
【００１２】
鍵保持パネル２は、鍵が取付けられた鍵ホルダ３がそれぞれ挿入される複数のホルダ挿入部２０が設けられたパネルであり、図１に示すように閉じられているときに鍵管理装置本体１と係合されるように設けられている。なお、鍵保持パネル２は通常閉じられたままであり、図２に示すように鍵保持パネル２が開かれるのは例えば停電時やメンテナンス時等の非常時のみである。換言すると、基本的に鍵保持パネル２は鍵管理装置本体１と係合されたままであり、図２に示すように鍵管理装置本体１と鍵保持パネル２との間の係合が解除されるのは非常時のみである。
【００１３】
鍵ホルダ３は、図示しない鍵を保持する部材である。鍵保持パネル２の各ホルダ挿入部２０に挿入された鍵ホルダ３は、図示しないホルダ係合部材と係合されており、各ホルダ挿入部２０から自由に引き抜くことができないようにされている。すなわち、ホルダ係合部材が鍵ホルダに係合されることで鍵の利用（持ち出し）が制限されている。
【００１４】
鍵交換部４は、鍵ホルダ３に保持されている鍵を交換する際に用いられるものである。鍵交換部４には、鍵保持パネル２の下部に設けられた交換時挿入開口４０と、鍵管理装置本体１内に収められた交換ユニット４１とが含まれている。交換ユニット４１は、交換時挿入開口４０に挿入された鍵ホルダ３に対して所定の操作を行うことで、鍵を交換可能とする。
【００１５】
外カバー５は、鍵保持パネル２及び鍵交換部４を覆うためのカバーであり、図１に示すように閉じられているときに鍵管理装置本体１と係合されるように設けられている。
【００１６】
入力パネル６は、表示パネル６０、接触式カードリーダ６１及び非接触式カードリーダ６２を含むものであり、利用者の権限を示す情報が利用者によって入力されるものである。入力パネル６に適切な情報が入力された場合に、電気制御により、鍵管理装置本体１と外カバー５との間の係合が解除されるとともに、利用権限に応じていずれかの鍵ホルダ３の係合が解除される。このような入力パネル６での情報入力によるホルダ係合部材の係合解除（電気制御による係合解除）は、鍵管理装置本体１に電源が投入されているときにのみ有効である。
【００１７】
図２に示すように、鍵管理装置本体１には、入力パネル６の背面側に位置するように機械式錠１０（ダイヤル錠）が設けられている。機械式錠１０は、入力パネル６の下部に設けられた錠６３を解錠して、図２に示すように入力パネル６を開くことで操作可能となる。機械式錠１０に対して所定の操作が行われた場合、鍵管理装置本体１と鍵保持パネル２との間の係合が解除されて、鍵保持パネル２を開くことができるようになる。鍵保持パネル２の背面には、手動でホルダ係合部材の係合を解除できる手動解除機構（図示せず）が設けられている。停電等の非常時には、機械式錠１０を操作して鍵保持パネル２を開き、鍵保持パネル２の背面の手動解除機構（図示せず）を操作することで、任意の鍵を利用できる。
【００１８】
本実施の形態の鍵管理装置は、上述のように機械式錠１０に対して所定の操作が行われた場合に、鍵管理装置本体１と鍵保持パネル２との間の係合だけでなく、鍵管理装置本体１と外カバー５との間の係合も解除されるように構成されている。このように鍵管理装置本体１と外カバー５との間の係合も合わせて解除されることで、機械式錠１０を操作した後に鍵保持パネル２を露出させるための付加的な操作を不要とされ、利便性が向上される。
【００１９】
次に、図３〜図５を参照して、鍵管理装置本体１と外カバー５との間の係合について説明する。図３は図１の線ＩＩＩ−ＩＩＩに沿う鍵管理装置の断面図であり、図４は図３の外カバー係合部材１１と外カバー係合解除機構１２とを示す斜視図であり、図５は図４の線Ｖ−Ｖに沿う断面図である。図３に示すように、外カバー５には係合プレート５０が設けられ、鍵管理装置本体１には外カバー係合部材１１及び外カバー係合解除機構１２が設けられている。
【００２０】
係合プレート５０は、鍵管理装置本体１の高さ方向１ａ及び奥行方向１ｂに沿って延在されたプレートである。係合プレート５０の先端部には係合開口５０ａが形成されており、この係合開口５０ａに外カバー係合部材１１が係合される。
【００２１】
図４及び図５に示すように、外カバー係合部材１１は、係合プレート５０の係合開口５０ａに係合される爪部１１ａと、爪部１１ａの根元から鍵管理装置本体１の幅方向に沿って延出されて係合プレート５０の先端に当接される板部１１ｂとを先端に有する長手状部材である。外カバー係合部材１１は、高さ方向１ａに沿って延在された支軸１１ｃを中心に回動可能に第１支持部材１３に取付けられている。第１支持部材１３は鍵管理装置本体１内で固定された部材である。
【００２２】
外カバー係合部材１１の中間部と第１支持部材１３との間には巻きバネからなる第１接続スプリング１１ｄが接続されている。第１接続スプリング１１ｄは、爪部１１ａが係合開口５０ａから離れる方向に回動するように外カバー係合部材１１を付勢している。外カバー係合部材１１の後端部には、後述のレバー１２１が係合される段部１１ｅが設けられている（図５参照）。この段部１１ｅにレバー１２１が係合されることで、爪部１１ａが係合プレート５０から離れる方向への外カバー係合部材１１の回動が規制されている。
【００２３】
外カバー係合解除機構１２は、電気制御により外カバー係合部材１１と係合プレート５０との間の係合（鍵管理装置本体１と外カバー５との間の係合）を解除するためのものである。
【００２４】
図４に示すように、外カバー係合解除機構１２は、電気制御されるソレノイドアクチュエータ１２０と、ソレノイドアクチュエータ１２０のプランジャ１２０ａに一端１２１ａが接続されたレバー１２１と、レバー１２１の他端１２１ｂに接続された第２接続スプリング１２２とを有している。ソレノイドアクチュエータ１２０は、第１支持部材１３の下方に配置された第２支持部材１４に固定されており、鍵管理装置本体１の奥行方向１ｂに沿ってプランジャ１２０ａを進退させる。レバー１２１は、鍵管理装置本体１の高さ方向１ａに沿って延在された長手状部材であり、支軸１２１ｃを中心に回動可能に設けられている。レバー１２１の支軸１２１ｃは図示しない支持体に取付けられている。第２接続スプリング１２２は、レバー１２１の他端１２１ｂを支軸１１ｃに近づける方向にレバー１２１を付勢している。
【００２５】
電気制御によるソレノイドアクチュエータ１２０のプランジャ１２０ａの進退により、一端１２１ａがソレノイドアクチュエータ１２０に近づく方向にレバー１２１が回動された場合、レバー１２１の他端１２１ｂが外カバー係合部材１１の支軸１１ｂから離れるように変位される。このとき、外カバー係合部材１１の段部１１ｅとレバー１２１との間の係合が解除され、第１接続スプリング１１ｂの付勢力によって外カバー係合部材１１が回動されて、外カバー係合部材１１と係合プレート５０との間の係合が解除される。このとき、外カバー係合部材１１から離れるように係合プレート５０が板部１１ｂによって押し出される。
【００２６】
レバー１２１の他端１２１ｂと支軸１２１ｃとの間には、ベアリング１２３が取付けられている。後に図を用いて説明するように、ベアリング１２３は、ソレノイドアクチュエータ１２０（電気制御）によらず機械式錠１０を操作して外カバー係合部材１１と係合プレート５０との間の係合を解除する際に利用されるものである。
【００２７】
次に、図６を参照して、鍵管理装置本体１と鍵保持パネル２との間の係合について説明する。図６は、図１の鍵保持パネル２の背面側を示す斜視図である。図６に示すように、鍵保持パネル２の背面には高さ方向１ａに沿って互いに離間して配置された一対の係合片２１が設けられており、鍵管理装置本体１には保持パネル係合部材１５と保持パネル係合解除機構１６とが設けられている。
【００２８】
各係合片２１は、鍵保持パネル２の一端から鍵管理装置本体１の幅方向１ｃに沿って延出された舌片体である。各係合片２１には、係合開口２１ａが形成されており、この係合開口２１ａに保持パネル係合部材１５が係合される。
【００２９】
保持パネル係合部材１５は、鍵管理装置本体１の高さ方向１ａに沿って延在された断面Ｌ字状の部材であり、高さ方向１ａに沿って進退可能にピン１５ａにより鍵管理装置本体１に支持されている。この保持パネル係合部材１５には、保持パネル係合部材１５が下方に変位された際に係合片２１の係合開口２１ａに係合される爪部１５ｂが形成されている。
【００３０】
保持パネル係合解除機構１６は、機械式錠１０と保持パネル係合部材１５とに接続されており、機械式錠１０の操作に応じて保持パネル係合部材１５を変位させて、保持パネル係合部材１５と係合片２１との間の係合（鍵管理装置本体１と鍵保持パネル２との間の係合）を解除するものである。
【００３１】
保持パネル係合解除機構１６は、機械式錠１０の回動軸１０ａに取付けられた回動プレート１６０と、この回動プレート１６０と保持パネル係合部材１５との間に設けられたリンク部材１６１とを有している。回動プレート１６０は、機械式錠１０の回動軸１０ａとともに回動可能に設けられている。リンク部材１６１は支軸１６１ａを中心に回動可能に設けられた部材であり、リンク部材１６１の一端１６１ｂは保持パネル係合部材１５の上部に固定されている。リンク部材１６１の他端１６１ｃは上面１６２及び下面１６３を有するように断面コ字状に形成されており、それら上面１６２及び下面１６３の間に回動プレート１６０が挿入されている。
【００３２】
機械式錠１０に対して所定の操作が行われることにより回動軸１０ａが回動されると、その回動軸１０ａとともに回動プレート１６０が回動される。このとき、回動プレート１６０が下面１６３を押し下げる方向に回動されると、リンク部材１６１の一端１６１ｂ及び保持パネル係合部材１５が引上げられて、保持パネル係合部材１５と係合片２１との間の係合（鍵管理装置本体１と鍵保持パネル２との間の係合）が解除される。
【００３３】
次に、図７を参照して、図４の外カバー係合部材１１と図６の保持パネル係合部材１５との連動について説明する。図７は、図６の保持パネル係合部材１５の下部を拡大して示す斜視図である。保持パネル係合部材１５の側面には、断面Ｌ字状の部材からなる伝動部１５０が設けられている。伝動部１５０は、保持パネル係合部材１５の側面に固定されており、レバー１２１に設けられたベアリング１２３の下部まで延出されている。
【００３４】
上述したように機械式錠１０に対して所定の操作が行われて保持パネル係合解除機構１６により保持パネル係合部材１５が引上げられると、保持パネル係合部材１５と一体に伝動部１５０が引上げられる。このとき、伝動部１５０がベアリング１２３を押し上げて、レバー１２１の他端１２１ｂが外カバー係合部材１１の支軸１１ｂから離れるようにレバー１２１を回動させる。すなわち、機械式錠１０の操作に応じて保持パネル係合解除機構１６により保持パネル係合部材１５が駆動される際に、伝動部１５０により保持パネル係合部材１５の変位がレバー１２１を介して外カバー係合部材１１に伝えられる。これにより、機械式錠１０に対して所定の操作が行われた場合に、保持パネル係合部材１５と鍵保持パネル２との間の係合とともに、外カバー係合部材１１と外カバー５との間の係合が解除される。
【００３５】
このような鍵管理装置では、鍵保持パネル２及び外カバー５の両方が鍵管理装置本体１と係合するように設けられ、機械式錠１０に対して所定の操作が行われた場合に、鍵管理装置本体１と鍵保持パネル２との間の係合とともに、鍵管理装置本体１と外カバー５との間の係合が解除されるので、機械式錠１０を操作した後に鍵保持パネル２を露出させるための付加的な操作を不要とすることができ、利便性を向上できる。
【００３６】
機械式錠１０の操作に応じて保持パネル係合解除機構１６により保持パネル係合部材１５が駆動される際に、伝動部１５０により保持パネル係合部材１５の動作が外カバー係合部材１１に伝えられて、保持パネル係合部材１５と鍵保持パネル２との間の係合とともに、外カバー係合部材１１と外カバー５との間の係合が解除されるので、より確実に鍵管理装置本体１と鍵保持パネル２との間の係合とともに、鍵管理装置本体１と外カバー５との間の係合を解除でき、より確実に利便性を向上できる。
【符号の説明】
【００３７】
１  鍵管理装置本体
２  鍵保持パネル
５  外カバー
１０  機械式錠
１１  外カバー係合部材
１５            保持パネル係合部材
１６  保持パネル係合解除機構
【図１】
2014231690.tif 000003
【図２】
2014231690.tif 000004
【図３】
2014231690.tif 000005
【図４】
2014231690.tif 000006
【図５】
2014231690.tif 000007
【図６】
2014231690.tif 000008
【図７】
2014231690.tif 000009